(57)【要約】【課題】メインミラーを回動可能に支持する回動軸のがたつきに起因する焦点検出精度のばらつきを防止して、撮影画像の合焦精度を向上させる。【解決手段】ミラーボックスの溝に軸支され、撮影光路内に進入する第１の状態と撮影光路から退避する第２の状態になるメインミラーと、メインミラーに軸支され、メインミラーを透過した光束を反射する第１の状態と撮影光路から退避する第２の状態となるサブミラーと、回動軸を付勢する付勢部材とを有し、溝に対する回動軸のがたつきの方向が、サブミラーが第１の状態となるときのサブミラーの反射面方向と平行な方向となるように、溝と回動軸との間にすき間を形成し、付勢部材はサブミラーが第１の状態となるときのサブミラーの反射面方向と直交する方向から回動軸を付勢する。【選択図】図６
2012042617.tif 000002
【特許請求の範囲】
【請求項１】
溝が形成されるミラーボックスと、
回動軸が前記溝に軸支され、前記ミラーボックスに対して回動することで、撮影光路内に進入する第１の状態と撮影光路から退避する第２の状態になる第１のミラー部材と、
前記第１のミラー部材に軸支され、前記撮影光路内に進入して前記第１のミラー部材を透過した光束を反射する第１の状態と前記第１のミラー部材と一体となって撮影光路から退避する第２の状態となる第２のミラー部材と、
前記溝に軸支される前記回動軸を付勢する付勢部材とを有し、
前記溝に対する前記回動軸のがたつきの方向が、前記第２のミラー部材が前記第１の状態となるときの前記第２のミラー部材の反射面方向と平行な方向となるように、前記溝と前記回動軸との間にすき間を形成し、
前記付勢部材は、前記第２のミラー部材が前記第１の状態となるときの前記第２のミラー部材の反射面方向と直交する方向から前記回動軸を付勢することを特徴とする撮像装置。
【請求項２】
前記付勢部材は、前記第２のミラー部材が前記第１の状態となるときの前記第２のミラー部材の反射面方向と平行となる付勢面が形成される板ばねであり、前記付勢面によって前記回動軸を付勢することを特徴とする請求項１に記載の撮像装置。
【発明の詳細な説明】
【技術分野】
【０００１】
本発明は、一眼レフカメラ等の撮像装置に関し、特に撮像装置内に設けられるミラー機構の改良に関する。
【背景技術】
【０００２】
図７は一眼レフカメラ等に設けられる従来のミラー機構の一例を示す模式図、図８は図７のＦ部詳細図である。
【０００３】
図７に示すように、ミラー機構は、ハーフミラーからなるメインミラー５４と、メインミラー５４に対して回動可能に支持されるサブミラー５３とを備える。
【０００４】
メインミラー５４は、受け板５０に保持されており、受け板５０の端部には、回動軸５０ａが設けられている。カメラ本体内の不図示のミラーボックスに設けられたＵ字溝１ａ（図８参照）に回動軸５０ａが嵌合されることにより、メインミラー５４がミラーボックスに対して回動可能に支持される。回動軸５０ａは、板ばね４８によって光軸と略平行に被写体側に付勢されており、これにより、Ｕ字溝１ａ内での回動軸５０ａの光軸方向のがたつきが防止されている。メインミラー５４は、回動軸５０ａを中心とした回動動作により、ファインダ観察時には、撮影光路に進入し（ミラーダウン（図７））、撮影時には、撮影光路から退避する（ミラーアップ）。
【０００５】
サブミラー５３は、受け板５１に保持されており、受け板５１の端部は、ミラーダウン状態のメインミラー５４の背面側（像面側）に回動軸５０ｃを介して回動可能に支持される。また、受け板５１は、不図示のトーションばねにより図７の反時計回り方向（矢印Ｇ方向）に付勢された状態で位置決め部材５２に当接している。
【０００６】
そして、不図示の撮影レンズを通った被写体光は、メインミラー５４で上方に反射する光とメインミラー５４を透過する光とに分かれ、メインミラー５４で上方に反射した光は、不図示のペンタプリズムを介して不図示のファインダへと導かれる。また、メインミラー５４を透過した光は、サブミラー５３で反射して下方に配置された焦点検出装置５６に導かれ、これにより、ＴＴＬ位相差ＡＦを可能としている（特許文献１）。
【先行技術文献】
【特許文献】
【０００７】
【特許文献１】特開平５−１１３４０号公報
【発明の概要】
【発明が解決しようとする課題】
【０００８】
ところで、上記特許文献１では、メインミラー５４の受け板５０の端部に設けられた回動軸５０ａは、ミラーボックス１に設けられたＵ字溝１ａに嵌合し、板ばね４８によって光軸と略平行に被写体側に付勢されている。しかし、回動軸５０ａは、メインミラー５４が滑らかに回転できるように、Ｕ字溝１ａに対して隙間を有して嵌合されるため、図８に示すように、板ばね４８による付勢方向Ｈに対して直交する方向Ｉにがたつきが生じる。
【０００９】
この場合、例えば、図９に示すように、回動軸５０ａが下方向（矢印Ｉ方向）にがたついて位置が変化すると、これに伴ってサブミラー５３の回動軸５０ｃの位置も変化する。このとき、サブミラー５３の受け板５１が位置決め部材５２に当接する位置は変化しないため、光軸に対するサブミラー５３の反射面の角度が変化し、焦点検出装置５６に対する光７０の指向方向がずれてしまう。この回動軸５０ａのがたつきの方向は、ユーザがレリーズボタンを操作して撮影動作を行うごとに変化する可能性があるため、焦点検出精度にばらつきが生じ、撮影画像の合焦精度が低下するという問題がある。
【００１０】
そこで、本発明は、第１のミラー部材を回動可能に支持する回動軸のがたつきに起因する焦点検出精度のばらつきを防止して、撮影画像の合焦精度を向上させることを目的とする。
【課題を解決するための手段】
【００１１】
上記目的を達成するために、本発明の撮像装置は、溝が形成されるミラーボックスと、回動軸が前記溝に軸支され、前記ミラーボックスに対して回動することで、撮影光路内に進入する第１の状態と撮影光路から退避する第２の状態になる第１のミラー部材と、前記第１のミラー部材に軸支され、前記撮影光路内に進入して前記第１のミラー部材を透過した光束を反射する第１の状態と前記第１のミラー部材と一体となって撮影光路から退避する第２の状態となる第２のミラー部材と、前記溝に軸支される前記回動軸を付勢する付勢部材とを有し、前記溝に対する前記回動軸のがたつきの方向が、前記第２のミラー部材が前記第１の状態となるときの前記第２のミラー部材の反射面方向と平行な方向となるように、前記溝と前記回動軸との間にすき間を形成し、前記付勢部材は、前記第２のミラー部材が前記第１の状態となるときの前記第２のミラー部材の反射面方向と直交する方向から前記回動軸を付勢することを特徴とする。
【発明の効果】
【００１２】
本発明によれば、第１のミラー部材を回動可能に支持する回動軸のがたつきに起因する焦点検出精度のばらつきを防止することができるので、撮影画像の合焦精度の向上を図ることができる。
【図面の簡単な説明】
【００１３】
【図１】本発明の撮像装置の実施形態の一例である一眼レフカメラの要部断面図である。
【図２】ミラー機構のミラーダウン状態を示す図である。
【図３】図２に示すミラー機構を背面側から見た図である。
【図４】ミラーダウン状態でのミラー機構を模式的に示す図である。
【図５】図４のＢ部詳細図である。
【図６】メインミラーの回動軸がミラーボックスのＵ字溝内でのがたつきにより−Ｄ方向に位置が変化した状態を示すミラー機構の模式図である。
【図７】一眼レフカメラ等に設けられる従来のミラー機構の一例を示す模式図である。
【図８】図７のＦ部詳細図である。
【図９】メインミラーの回動軸が下方向にがたついて位置が変化した際のミラー機構の状態を説明するための模式図である。
【発明を実施するための形態】
【００１４】
以下、本発明の実施形態の一例を図面を参照して説明する。
【００１５】
図１は本発明の撮像装置の実施形態の一例である一眼レフカメラの要部断面図、図２はミラー機構のミラーダウン状態を示す図、図３は図２に示すミラー機構を背面側から見た図である。
【００１６】
本実施形態の一眼レフカメラは、図１及び図２に示すように、ファインダ観察時に、撮影光路内に進入する第１の状態（ミラーダウン状態）となり、撮影時に、撮影光路から退避する第２の状態（ミラーアップ状態）になるミラー機構１０を備える。ミラー機構１０は、ハーフミラーからなるメインミラー１５４と、メインミラー１５４に対して回動可能に支持されるサブミラー１５３とを有する。
【００１７】
メインミラー１５４は、受け板１５０に保持されており、受け板１５０の端部には、回動軸１５０ａが一体に設けられている。ミラーボックス１０１に設けられたＵ字溝１０１ａに回動軸１５０ａが軸支されることにより、メインミラー１５４がミラーボックス１０１に対してミラーダウン位置とミラーアップ位置との間で回動可能に支持される。ここで、メインミラー１５４及び受け板１５０は、本発明の第１のミラー部材の一例に相当し、Ｕ字溝１０１ａは、本発明の溝の一例に相当する。
【００１８】
サブミラー１５３は、受け板1５１に軸支されており、受け板1５１の端部は、ミラーダウン状態のメインミラー１５４の受け板１５０の背面側（像面側）に回動軸１５０ｃを介して回動可能に支持される。受け板１５１は、図３に示すように、トーションばね１５７によりメインミラー１５４に対して開く方向Ａ（図２の反時計回り方向）に付勢された状態で偏心ダボ１５２に当接して、メインミラー１５４に対して所定の角度をなす位置で位置決めされる。また、サブミラー１５３の反射面は、受け板１５１の偏心ダボ１５２に当接する面と平行になるように配置されている。ここで、サブミラー１５３及び受け板１５１は、本発明の第２のミラー部材の一例に相当する。
【００１９】
サブミラー１５３の受け板１５１が偏心ダボ１５２に当接した状態では、受け板１５１における、回動軸１５０ｃを間に挟んで偏心ダボ１５２に当接する端部の反対側の端部は、ミラーボックス１０１に固定されたピン１５５に当接しないようになっている。このため、偏心ダボ１５２を偏心軸１５２ａを中心に回転させることで、サブミラー１５３の受け板１５１が回動軸１５０ｃを中心として微小回転し、これにより、ミラーダウン状態でのメインミラー１５４に対するサブミラー１５３の角度調整を行うことができる。
【００２０】
そして、不図示の撮影レンズを通って撮影光路に進入した被写体光は、メインミラー１５４で上方に反射する光とメインミラー１５４を透過する光とに分かれ、メインミラー１５４で上方に反射した光は、ペンタプリズムＰＰを介してファインダへと導かれる。また、メインミラー１５４を透過した光束は、サブミラー１５３で反射して下方に配置された焦点検出装置としてのＴＴＬ位相差ＡＦユニット１５６に進入する。
【００２１】
図４はミラーダウン状態でのミラー機構を模式的に示す図、図５は図４のＢ部詳細図である。
【００２２】
上述したように、メインミラー１５４の受け板１５０の端部に設けられた回動軸１５０ａはミラーボックス１０１のＵ字溝１０１ａに軸支されるが、回動軸１５０ａを滑らかに回動させるには、回動軸１５０ａとＵ字溝１０１ａとの間にすき間を設ける必要がある。即ち、回動軸１５０ａの径よりＵ字溝１０１ａの径を大きくする必要があり、Ｕ字溝１０１ａ内で回動軸１５０ａにがたつきが生じることになる。
【００２３】
ここで、本実施形態では、図４及び図５に示すように、回動軸１５０ａのがたつきの方向±Ｄは、受け板１５１が偏心ダボ１５２に当接した状態となるときのサブミラー１５３の反射面方向と平行になるようにＵ字溝１０１ａを形成している。すなわち、回動軸１５０ａのがたつきの方向は、サブミラー１５３が第１の状態となるときのサブミラー１５３の反射面方向と平行な方向となる。また、板ばね１４８には、受け板１５１が偏心ダボ１５２に当接した状態のサブミラー１５３の反射面方向と平行となる付勢面１４８ａが形成される。そして、板ばね１４８の付勢面１４８ａによって、Ｕ字溝１０１ａに嵌合された回動軸１５０ａをサブミラー１５３の反射面に対して直交する方向Ｃに付勢している。従って、ミラー機構１０がミラーダウン位置（第１の状態）とミラーアップ位置（第２の状態）との間で回動動作するごとに、回動軸１５０ａはがたつき方向±Ｄに沿って図５の位置１５０ａ１や位置１５０ａ２に移動することになる。ここで、板ばね１４８は、本発明の付勢部材の一例に相当する。
【００２４】
図６は、回動軸１５０ａがＵ字溝１０１ａ内でのがたつきにより−Ｄ方向に位置が変化した状態を示すミラー機構の模式図である。
【００２５】
図６に示すように、回動軸１５０ａがＵ字溝１０１ａ内で−Ｄ方向にがたついて位置が変化すると、これに伴って回動軸１５０ｃも同方向に位置が変化する。また、サブミラー１５３の受け板１５１は、トーションばね１５７によって図６の反時計回り方向に付勢された状態で偏心ダボ１５２に当接している。
【００２６】
ここで、サブミラー１５３の反射面、サブミラー１５３の受け板１５１の偏心ダボ１５２に当接する面１５１ａ、及び回動軸１５０ｃの変化する方向−Ｄは、全て平行であるため、サブミラー１５３の反射面は面内でしか移動しない。従って、回動軸１５０ａの位置ががたつき方向±Ｄに変化する前後において、サブミラー１５３で反射した光のＴＴＬ位相差ＡＦユニット１５６に対する指向方向は同一となる。
【００２７】
以上説明したように、本実施形態では、ミラー機構１０が回動動作するごとに、回動軸１５０ａががたつき方向±Ｄに移動しても、サブミラー１５３で反射した光のＴＴＬ位相差ＡＦユニット１５６に対する指向方向は変化しない。これにより、メインミラー１５４の受け板１５０を回動可能に支持する回動軸１５０ａのがたつきに起因する焦点検出精度のばらつきを防止することができ、撮影画像の合焦精度を向上させることができる。
【００２８】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００２９】
１４８  板ばね
１５０  受け板
１５０ａ  回動軸
１５０ｃ  回動軸
１５１  受け板
１５２  偏心ダボ
１５３  サブミラー
１５４  メインミラー
１５６  ＴＴＬ位相差ＡＦユニット
１５７  トーションばね
【図１】
2012042617.tif 000003
【図２】
2012042617.tif 000004
【図３】
2012042617.tif 000005
【図４】
2012042617.tif 000006
【図５】
2012042617.tif 000007
【図６】
2012042617.tif 000008
【図７】
2012042617.tif 000009
【図８】
2012042617.tif 000010
【図９】
2012042617.tif 000011